(57)【要約】【課題】作業補助用の肘掛け装置において、作業性と操作性とを向上させる。【手段】肘掛け装置７は、前後回動自在な肘支柱２１と、肘支柱２１に高さ調節自在に取り付けた昇降体２２と、昇降体２２に水平旋回自在に取り付けた肘当てとを有している。肘当て２３は平面視で細長い形態であり、その長手方向に軽快にスライドする。肘支柱２１はアブソーバ２５によって前傾姿勢に付勢されている。従って、椅子の前後位置が多少変化しても肘当て２３は机の天板４２に当接した状態に保持される。このため、使用者は腕の位置を一定に保持してマウス作業等の作業を行える。肘支柱２１はばね式ロック手段によって後傾し切った状態に保持可能であり、このため、ロッキング状態での安楽性も確保できる。或いは、ロッキング状態でマウス操作することも可能である。【選択図】図１
2010051614.tif 000002
【特許請求の範囲】
【請求項１】
人が腕を載せ得る肘当てと、前記肘当てを前後移動自在に支持する支持手段と、前記肘当てを前又は後ろに向けて付勢する復帰手段とを有しており、前記肘当ては人が腕を載せた状態で復帰手段に抗して自在に前後移動させられるようになっている、
肘掛け装置。
【請求項２】
椅子の一部を構成するもので、前記肘当ては着座者の前方に向けて付勢されており、かつ、前記肘掛け装置は、椅子がセットで使用される机の天板の前面に当たり得る高さに設定可能となっている、
請求項１に記載した椅子用肘掛け装置。
【請求項３】
前記肘当ては平面視で細長い形態であり、この肘当てを、水平旋回自在及び長手方向に移動自在な状態で支持手段に支持せしめている、
請求項１又は２に記載した肘掛け装置。
【請求項４】
更に、前記肘当てが復帰手段に抗して移動し切った状態に自動的に保持されるロック手段を有している、
請求項１〜３のうちのいずれかに記載した肘掛け装置。
【発明の詳細な説明】
【技術分野】
【０００１】
本願発明は、肘掛け装置に関するものである。
【背景技術】
【０００２】
肘掛け装置は、一般に椅子のオプション品として多用されている。そして、椅子用の肘掛け装置は腕を休息させるために設けていることが多いが、作業の補助具として機能させることも提案されている。特に多いのがパソコンのようなＯＡ機器を使用するに際しての人の負担軽減を狙ったものであり、その例として特許文献１には、肘支柱に水平旋回自在なアームを取り付け、このアームに肘当てを水平回転自在に取り付けることが開示されている。この特許文献１では、肘当てはある程度の範囲で自在に水平動し得るため、人が腕を肘当てに載せたままでマウス操作やキーボード操作を行うにおいて、腕を肘当てに載せたままで自在に水平移動させることができる。すなわち、肘当てが腕（手）の動きに追従することにより、人の負担を軽減できる。
【０００３】
他方、特許文献２には、建機（土木工事用車両）において作業者が一の腕を載せる肘当てが開示されており、肘当ては建機のフロアーに前後回動自在に取り付けられた肘支柱の上端に設けている。この特許文献２では肘当ては前後方向にしか移動しないが、建機のレバーは前後回動式であるため、肘当ても前後方向にしか移動しなくても差し支えない。
【０００４】
椅子の肘掛け装置はオプション品であるが、場合によっては肘掛け装置を使用しないこともある。そこで、特許文献３では、肘当てが背もたれの後ろ側に移行するように肘掛け装置を、肘支柱の下端を中心に回動する方式にして、不使用時には後ろに跳ね上げ回動させておくことが開示されている。
【特許文献１】特開２００１−１６１４９１号公報
【特許文献２】実開昭６４−４２４６号のマイクロフィルム
【特許文献３】実開昭６３−１４８２４９号のマイクロフィルム
【発明の開示】
【発明が解決しようとする課題】
【０００５】
さて、パソコンやＣＡＤの操作は主としてキーボード操作とマウス操作とに分けられるが、人が椅子に腰掛けてキーボード操作やマウス操作を行う場合、操作を行いやすい腕の位置があると言える（個人差はあるが）。また、人の机との関係を見ても、身体と机（換言すると椅子と机）との位置関係は好み等によって様々である。いずれにしても、キーボード操作やマウス操作の補助として使用される肘掛け装置の場合、肘当てはキーボードやマウス等の操作を行いやすい位置に保持されているのが好ましい。
【０００６】
しかし、特許文献１を初めとして従来のパソコン対応肘掛け装置は、腕の動きへの追従性には注力しているが操作しやすい位置を保持するという観点は見受けられず、このため、使い勝手の面でまだ改善の余地があると言える。
【０００７】
本願発明は、このような現状に鑑み成されたものであり、キーボードやマウス操作等の操作、或いは筆記作業等を行いやすい肘掛け装置を提供すること等を目的とするものである。
【課題を解決するための手段】
【０００８】
さて、肘掛け装置を作業補助に使用する場合、対象になる作業の種類はまちまちである。例えば、パソコン操作やＣＡＤ操作の他の作業の例として精密作業やラインでの組み立て作業が挙げられる。いずれにしても、肘当てが前後移動することは腕（手）の最適位置を確保する等の点から好適である。本願発明は、このような知見も基礎にして成されている。
【０００９】
そして、請求項１の発明に係る肘掛け装置は、人が腕を載せ得る肘当てと、前記肘当てを前後移動自在に支持する支持手段と、前記肘当てを前又は後ろに向けて付勢する復帰手段とを有しており、前記肘当ては人が腕を載せた状態で復帰手段に抗して自在に前後移動させられるようになっている。
【００１０】
請求項２の発明は請求項１の発明を椅子用肘掛け装置に適用したものであり、この発明に係る肘掛け装置は、椅子の一部を構成するもので、前記肘当ては着座者の前方に向けて付勢されており、かつ、前記肘掛け装置は、椅子がセットで使用される机の天板の前面に当たり得る高さに設定可能となっている。
【００１１】
請求項３の発明は、請求項１又は２において、前記肘当ては平面視で細長い形態であり、この肘当てを、水平旋回自在及び長手方向に移動自在な状態で支持手段に支持せしめている。更に、請求項４の発明は、請求項１〜３のうちのいずれかにおいて、前記肘当てが復帰手段に抗して移動し切った状態に自動的に保持されるロック手段を有している。
【００１２】
なお、本願発明でいう「腕」とは、肘から手の腹（或いは手の平、手の甲）までの全範囲を含んでいる。従って、一の腕の全体を含むことは当然として、手首も含んでいる。また、「復帰手段」は付勢手段と言い換えてもよい。更に、請求項２のように椅子用肘掛け装置とする場合、肘掛け装置は座の左右両側に設けてても良いし、片側だけに設けてもよい。勿論、椅子以外に設置する場合も、左右一対として使用することも片側だけ使用することも可能である。
【００１３】
接続部のように肘当てが水平旋回自在である場合、水平旋回自在とはぐるぐる際限なく回り得る状態と、ある角度（例えばおおよそ１８０度）の範囲で往復回動する場合との両方を含んでいる。
【発明の効果】
【００１４】
本願発明では、肘当ては復帰手段によって所定の位置（姿勢）に戻り、しかも、一々ロック解除操作をしなくても肘当ては人が腕で復帰手段（ばね手段）に抗して前後移動させることができる。従って、待機状態から作業可能状態に自動的に移行したり、逆に、作業可能状態から待機状態に自動的に移行したり、或いは、作業可能状態の任意の位置を選択可能でありながら腕を離すと原点に自動的に復帰したりというように、肘当てを所定の位置に自動的に戻すことができる。
【００１５】
或いは、肘当ての前端を他の物に当てることで腕の適正位置を保持する場合もあるが、この場合は、肘当てを前進方向に付勢することにより、肘当てを他の物に常に当てておくことが可能になり、その結果、人の腕を作業しやすい位置に自動的に保持することが可能になる。いずれにしても、本願発明では、肘当てが所定位置に自動的に復帰し勝手になっているため、人が一々肘当てを動かす手間を省いたり、肘当て（及び腕）の適正位置を自動的に保持したりすることが可能になるのであり、よって、作業補助用の肘掛け装置としてユーザーフレンドリー性に優れている。また、肘当ては一々ボタン操作等の操作を要することなく復帰手段に抗して移動させ得るため、肘当てを前後に移動させつつ作業を行うということも阻害はされない。
【００１６】
さて、既述のとおり、人が椅子に腰掛けてマウス操作やキーボード操作を行う場合、モニターやマウスの位置（或いは好み）等との関係から、机の天板との関係で作業を行い易い腕の位置がある。他方、椅子と天板との相対位置はまちまちであり、椅子が机の内部に深く入り込んでいる場合もあれば、浅く入り込んでいる場合もある。
【００１７】
そして、請求項２のように構成すると、肘掛け装置が前向きに付勢されており、しかも肘掛け装置は机の天板の前面に当たる高さであるため、椅子の前後位置に関係なく肘当てを常に天板の前面箇所に位置させておくことができ、これにより、椅子の前後位置に関係なく適正な作業状態を自動的に維持することができる。逆にいうと、肘掛け装置が固定式であると、肘掛け装置が天板につかえて椅子を机の内部に深く入り込ませることができない場合があるが、本願発明では、肘掛け装置が後ろに逃げ移動することにより、肘掛け装置を天板に当てた状態で椅子を机の内部に大きく入り込ませることができるのであり、その結果、作業者は机上作業を行い易い位置を保持させつつ、肘掛け装置を机上作業の補助に使用できるのである。
【００１８】
人が腕を肘掛け装置に当てて作業を行う場合、腕は多少なりとも水平方向に移動させることが多い。そして、請求項３のように構成すると、肘当てを人の腕の動きに追従して水平動させることができるため、作業性に優れている。キーボード操作では手を左右移動させることが多く、また、キーボードから筆記作業に移行するにおいても手を左右移動させることになる。更に、マウス左右方向に大きく移動させることが多い（マウスに画面を上下動させるホイールが設けられている場合は、特に左右動する頻度が高いと言える）。よって、請求項２では、肘当てを左右横長姿勢とすることにより、キーボード操作やマウス操作等の机上作業を楽に軽快に行えて真価が強く発揮されると言える。
【００１９】
肘掛け装置を復帰手段に抗して移動させた場合、移動させ切った位置に保持したいことがある。例えば、作業を行わない待機位置に保持したい場合である。この点、請求項４のように構成すると、肘掛け装置を動かない状態に保持できるため、使い勝手が良い。この場合、ロックを解除するのはボタン操作のような操作具を用いることも可能であるが、操作の容易性という点からは、実施形態に記載しているようにロック状態を弾性力で保持して、肘当てにある程度を力を掛ければロックが解除される構成とするの好ましい。
【発明を実施するための最良の形態】
【００２０】
次に、本願発明の実施形態を図面に基づいて説明する。本実施形態は椅子の肘掛け装置に適用している。図１〜図５では第１実施形態を示しており、図６以下では他の実施形態を示している。以下、順次説明する。なお、以下の説明で方向を示すため「前後」「手前」「後ろ」「左右」といった文言を使用するが、これらの文言は着座した人の姿勢を基準にしている。「正面視」は着座者と対向した方向から見た状態になる。
【００２１】
(1).第１実施形態の概要
図１は全体の概略側面図である。まず、主として図１に基づいて椅子の概要を説明する。本実施形態は事務用に多用されているいわゆる回転椅子に適用しており、椅子は、主要要素として、ガスシリンダより成る脚支柱１、座受け部２、座３、背もたれ４、背支柱５、バックサポート６、肘掛け装置７を有している。背支柱５と背もたれ４との間には、着座者の腰部が当てる部分を前向きに押すランバーサポート８が配置されており、このランバーサポート８は背支柱５で後ろから高さ調節可能に支持されている。
【００２２】
脚支柱１は脚装置の一部を構成するものであり、脚支柱１は、放射状に延びる複数本（一般に５本）の枝足を有する脚本体の中心部に嵌着されている。座受け部２は、脚支柱１の上端に固定されたベース９と、ベース９に第１ピン（第１支軸）１０を介して前後スライド自在に取り付けられた第１中間金具１１と、第１中間金具１１の後端部に左右横長の第２ピン（第１支軸）１３で連結された第２中間金具１２とを有しており、座３はアウターシェル１４を介して第１中間金具１１と第２中間金具１２とで支持されている。座受け部２は更に、ベース８の下面に固定された下ブラケット１５を有しており、この下ブラケット１５にバックサポート６が固定されている。
【００２３】
第１ピン１０は、ベース９に形成した前後長手で水平姿勢の第１長穴１６にスライド自在に嵌まっており、かつ、第２ピン１３もベース９に形成した前後長手で水平姿勢の第２長穴１７にスライド自在に嵌まっている。このため、第１中間金具１１と第２中間金具１２及びこれで支持されたアウターシェル１４と座３とは前後スライド可能になっており、かつ、第２中間金具１２は第２ピン１３を中心にして傾動し得る。
【００２４】
アウターシェル１４はその前寄りの２／３ほどを占める第１部分１４ａと、後ろ寄りの１／３ほどを占める第２部分１４ｂとに区分されており（両部分は蝶番部を介して一体に繋がっている）、第１部分１４ａは第１中間金具１１に取り付けられて第２部分１４ｂは第２中間金具１２に取り付けられている。更に、座３も前寄り２／３程度の範囲を占める第１部分３ａと、後ろ寄りの１／３ほどを占める第２部分３ｂとからなっており、両部分３ａ，３ｂは、第２部分３ｂが第１部分３ａに対して後傾動するように屈曲可能に連続している。
【００２５】
そして座３の第１部分３ａはアウターシェル１４の第１部分１４ａに固定されて、座３の第２部分３ｂはアウターシェル１４の第２部分１４ｂに固定されている。従って、座３は全体として前後スライドしつつ、第２部分３ｂは第１部分３ａに対して側面視で後傾動し得る。なお、第１部分３ａと第２部分３ｂとの前後寸法の割合は、おおむね５：５〜７：３程度が好適と言える。
【００２６】
背もたれ４のうち上端寄りの部位の背面は背支柱５の上端部に固定されており、また、背もたれ４の下端には下向きストッパー１８ａが設けられており、下向きストッパー１８は、背支柱５に設けた横向きストッパー１８ｂに後ろから上下動可能に当接している。このため、ランバーサポート８を上下動させて背もたれ４の突出態様を変化させることができる。
【００２７】
背支柱５のうち上端寄りの部位（背もたれ４のおおよそ上下中間部）にはガイド体１９が固定されており、このガイド体１９がバックサポート６の上端に設けたガイドピン２０に上下スライド自在に嵌まっている。従って、着座者が背もたれ４に凭れ掛かると、背もたれ４は後傾しつつ下降すると共に座３は全体として前進しつつ第２部分３ｂが後傾動する。
【００２８】
肘掛け装置７は、下ブラケット１５に固定された肘支柱２１と、肘支柱２１に高さ調節可能に取り付けられた昇降体２２と、昇降体２２の上端に取り付けられた肘当て２３とを有している。本実施形態では、肘支柱２１と昇降体２２とが請求項に記載した支持手段を構成している。
【００２９】
図２は概略平面図であり、この図２に示すように、肘当て２３は平面視で細長い形状であり、横長の姿勢も縦長（前後長手）の姿勢も自在に採り得るように昇降体２２に水平旋回自在に取り付けられている。また、肘当て２３は殆ど摩擦抵抗がない状態で長手方向に自在にスライドさせ得る状態で昇降体２２に取り付いている。また、肘支柱２１は下ブラケット１５に前後回動自在に取り付けられている（この点は後述する。）。
【００３０】
肘支柱２１は、前向きに回動し切った状態では鉛直線に対して若干の角度θ１で前倒れしており、後傾し切った状態では、前倒れ角度θ１よりも大きい角度θ２で後傾（後ろ倒れ）するようになっている。全体の回動角度（θ１＋θ２）は２５°程度に設定している（２０〜３０°が好ましい。）。なお、背もたれ４は、肘当て２３の上面の付近（一般的な体格の成人が腰掛けた場合の腹部（より好適には臍のあたり）の前面付近）をおおまかな仮想中心２４として回動するようになっている。
【００３１】
肘掛け装置７が前後に傾動（回動）することにより、着座した人は腕の姿勢を殆ど変えずにロッキングし得る。また、キーボード操作をしたりマウス操作をしたりする場合、手を前後方向に動かすことが多いが、肘掛け装置７が前後に回動するため、人は腕を肘当て２３に載せたままで、肘掛け装置７の前後回動を利用して安楽な状態で手を前後に動かすことができる。また、肘掛け装置７は鉛直線を中心にして後ろに大きく後傾するため、肘支柱２１が座３の前端寄りに変位して配置されていても、椅子を机の内部に深く入り込ませることができる。
【００３２】
肘掛け装置７は、ばねが組み込まれた伸縮自在なアブソーバ２５で前傾方向に付勢されている。従って、本実施形態ではアブソーバ２５が請求項に記載した復帰手段を構成している。肘当て２３は、肘掛け装置７に内蔵した姿勢保持装置により、一端部が座３の上方に位置する横長姿勢に戻るように付勢されている。更に、肘当て２３は、前後方向に延びる非縦長姿勢ではその姿勢が保持されるように設定しているが、一端と他端とのいずれが前向きにおいても縦長姿勢が保持されるという訳ではなくて、安定的な横長姿勢において座３の上方に位置する一端部が手前に向いた縦長姿勢でのみ、当該縦長姿勢が保持されるようになっている。
【００３３】
肘当て２３はその長手方向に摩擦抵抗がない状態でスライドし得る。このため、キーボード操作のように頻繁に手を左右に移動させる作業を楽な状態で行える。キーボード操作から筆記作業への移行（或いはその逆）に際しても手を大きく左右移動させるが、このような移行も腕を肘当て２３に載せたままで行える。
【００３４】
(2).座受け部と座の構造
次に、図３〜５も参酌して座受け部２と座３とを更に説明する。図３は分離側断面図、図４は座を省略した状態での平面図、図５は図４の V-V視断面図である。図５から理解できるように、ベース９は上向き開口樋状（あるいは箱状）の形態であり、その後部内面に補助ブラケット２７を溶接によって固着し、ベース９と補助ブラケット２７に固着されたブッシュ２８に脚支柱１の上端を嵌着している。図示していないが、座受け部２には脚支柱１のブッシュバルブを操作するレバーが取り付けられている。
【００３５】
図５に示すように、第１中間金具１１はベース９に上方から被さる正面視下向き開口コの字形になっており、第１ピン１０と第２ピン１３とは側板１１ａに貫通しており、また、例えば図３に示すように、第１長穴１６と第２長穴１７とはベース９の側板９ａに形成されている。第１長穴１６には樹脂製のブッシュを装着しているが、第２長穴１７にブッシュを装着することも可能である。
【００３６】
例えば図３に示すように、ベース９は前板９ｂを有しており、前板９ｂにビスで固定された前部ばね受け２９と第１ピン１０で後ろから支持された後部ばね受け３０との間にロッキングばね３１を介在させている。後部ばね受け３０には第１ピン１０が嵌まる後ろ向き開口の溝が形成されている。また、ベース９の底板は前後ばね受け２９，３０及びロッキングばね３１の下方の部位において段部９になっており、この段部で前後ばね受け２９，３０が回転不能に保持されている。
【００３７】
図５に示すように、第１中間金具１１の左右横幅はベース９の左右横幅よりもかなり大きい寸法になっている。他方、下ブラケット１５は上向き開口コの字状で第１中間金具１１と同じ程度の横幅寸法になっており、その内部の左右両端部にバックサポート６の水平部６ａが溶接されている。
【００３８】
第２中間金具１２は正面視下向き開口コの字の形態になっており、左右側板１２ａは第１中間金具１１の外側に位置していて第２ピン１３が側板１２ａに貫通している。左右の側板１２ａは、天板から前向きに突出しており、この前向き突出部に第２ピン１３が貫通している。
【００３９】
図５から理解できるように、アウターシェル１４は全体として正面視で上向きに開口した浅いトレー状の形態になっている。他方、座３は座インナーシェル３２の上面にクッション３３を張った構造になっており、座インナーシェル３２は全体として正面視で上向き開口の浅いトレー状の形態をなしている。クッション３３は図示しない表皮材で上から覆われている。図示していないが、座インナーシェル３２は座３に対応して第１部分と第２部分とに分離しており、これにより、座３が屈曲することが許容されている。座３の屈曲の中心線（折り目線）は、おおよそ着座者の尾てい骨が当たる箇所のあたりに設定している。クッション３３は全体にわたって連続している。
【００４０】
座インナーシェル３２とアウターシェル１４とは、その左右端部に設けた雄型係合部３４と雌型係合部（図示せず）との嵌め合わせによって一体に連結されている。もちろん、ビス等のファスナを使用して固定することも可能である。
【００４１】
アウターシェル１４の第１部分１４ａは第１中間金具１１に前後相対動不能に取り付けられており、アウターシェル１４の第２部分１４ｂは第２中間金具１２に固定されている。既述のとおり、アウターシェル１４の第１部分１２ａと第２部分１２ｂとはヒンジ部を介して一体に連続している。従って、第２部分１２ｂはヒンジ部を支点にして後傾する。
【００４２】
(3).肘支柱の取り付け構造
次に、肘支柱２１の取り付け構造を説明する。図４に示すように、肘支柱２１は内向き水平部２１ａを有しており、この水平部２１ａが、下ブラケット１５の側面に溶接によって固着したサイドブラケット３６にブッシュ３７を介して前後回動自在に取り付けられている。水平部２１ａのうちサイドブラケット３６の外側に位置した箇所には下向きアーム３８が固着されており、下向きアーム３８の下端とサイドブラケット３５とにアブソーバ２５がピン３９，４０を介して相対回動可能に連結されている。サイドブラケット３６には、アブソーバ２５を逃がすための穴（図示せず）が空いている。
【００４３】
なお、アブソーバ２５に代えてガスシリンダを使用することも可能である。この場合、ガスシリンダそのプッシュバルブを操作する操作手段を設けて、この操作手段をワイヤーによって遠隔的に操作できるように構成し、かつ、ワイヤーの引き操作を行うボタンやレバー等の操作具を例えば肘当て２３や昇降体２２に設けることも可能である。このようにすると、肘支柱２１を任意の姿勢に固定したり、自由に前後スイングする状態に切り換えたりすることができるため、使い勝手がよくなる。
【００４４】
図１に点線で示すように、肘掛け装置７の昇降体２２にはロックを解除して昇降可能とするためのボタン４１を設けている。この場合、昇降体２２のうちボタン４１は座３に向いた内面側に設けている。このため、椅子を移動させたときにボタン４１が例えば机に当たってロックが解除されてしまうような不測の事態を防止できる。ボタン４１（或いはレバー）や昇降体２２の背面部に設けても同様の利点を享受できる。
【００４５】
(4).第１実施形態のまとめ
肘掛け装置７が前進し切った状態で肘支柱２１は鉛直線に対して前傾しているため、着座した人が肘掛け装置７を前進させ切った状態で例えばキーボード操作やマウス操作を行うに際して、肘掛け装置７は安定した状態に保持される。また、肘当て２３は机の天板４２の前面に当たるように設定しており（昇降体２２を天板４２の前面に当ててもよい）、このため、椅子の前後位置が変化しても、アブソーバ２５による付勢作用により、肘当て２３が天板４２に当たった状態が保持される。このため、椅子の前後位置が多少変化しても腕を適正な位置に保持し続けることができる。
【００４６】
図面での表示は省略するが、肘支柱２１を後傾状態に保持するロック手段を設けることも可能である。その例として、例えば、ブッシュ３７にばねで付勢されたボールを内蔵して、このボールを肘支柱２１の水平部２１ａに形成した凹所に嵌め込むという、いわゆるボールキャッチが挙げられる。この場合、ある程度の力を掛けると、一々ボタン操作のようなロック解除操作を要することなく、肘掛け装置７を前進させることができる。勿論、他の機構も採用できる。
【００４７】
ボールキャッチ等のロック手段を設けて肘掛け装置７を後傾し切った状態に保持することにより、人は腕に力を入れることなく安楽状態を確保できる。また、本実施形態では、背もたれ４はその上下略中間部を中心にして傾動するため、ロッキングしても人の上半身が後ろに移動することは殆どない（肩や頭は多少後退する。）。このため、キーボード操作やマウス操作等の作業をしながらロッキング姿勢を採ることができる。
【００４８】
(5).第２実施形態（図６〜図７）
図６〜図７では復帰手段及びロック手段の別例である第２実施形態を示している。図６は一部破断正面図、図７のうち（Ａ）は図６のＡ−Ａ視断面図で（Ｂ）は図６のＢ−Ｂ視断面図である。この実施形態では、サイドブラケット３６に座３の外側にはみ出る支軸４４を固着しており、支軸４４の先端部にインナーブッシュ４５を溶接等で固着している一方、肘支柱２１の下端には、インナーブッシュ４５に回転自在に嵌まるアウターブッシュ４６が溶接等で固着されている。アウターブッシュ４６を挟むように端板４７が配置されており、端板４７はインナーブッシュ４５に固着されている。
【００４９】
アウターブッシュ４６の両端部には端板４７に向けて開口した開放溝４８が円周方向に若干の範囲で広がるように形成されている一方、端板４７には開放溝４８に嵌まるストッパー４９が形成されており、開放溝４８の内面がストッパー４９に当たることで肘支柱２１の回動範囲θが規制されている。肘支柱２１の回動範囲は第１実施形態と同じである。
【００５０】
そして、復帰手段としてコイル状のねじりばね５０を使用しており、このねじりばね５０をアウターブッシュ４６に外側から嵌め込んでいる。ねじりばね５０の一端部５０ａは肘支柱２１に開けた穴５１に嵌め込み、ねじりばね５０の他端部５０ｂは一方の端板４７に開けた穴５２に嵌め込んでいる。ねじりはね５０は、肘支柱２１が後傾すると弾性力が蓄えられる状態で肘支柱２１と端板４８とに嵌まっている。従って、肘支柱２１はねじりばね５０で前傾方向に付勢されている。
【００５１】
また、この実施形態では、肘支柱２１を後傾し切った状態に保持するロック手段として、図７（Ｂ）に示すように、アウターブッシュ４６に周方向に延びる切欠き穴（又は溝）５３を形成すると共に切欠き穴５３を覆うように延びる板ばね５４を固定し、板ばね５４に半径内向きの突起５４ａを設ける一方、インナーブッシュ４５には、板ばね５３の突起５３ａが切り換えるストッパー突起５５を設けている。
【００５２】
この実施形態は、復帰手段としてねじりばね５０を使用するだけなので構造が簡単かつコンパクトであり、また、ロック手段は板ばね５４を取り付けるだけで良いのでこれも構造が簡単かつコンパクトである。板ばね５４等のばね体を角度規制用ストッパー４９に係合させても良いのであり、このようにすると構造が一層シンプルになる。敢えて述べるまでもないが、実際の商品ではねじりばね５０をカバーで覆うことになる。
【００５３】
(6).第３実施形態（図８）
図８では復帰手段及びロック手段の別例である第３実施形態を示している。（Ａ）（Ｂ）は同一例であって、（Ａ）は前傾状態、（Ｂ）は後傾状態を示している。本実施形態も肘支柱２１の基本的な回動機構は第２実施形態と同じであり、インナーブッシュ４５とアウターブッシュ４６とを有している。但し、本実施形態のインナーブッシュ４５は樹脂やダイキャストによって厚肉になっている。
【００５４】
肘支柱２１には、支軸４４の軸心方向から見て下向き突の山形ストッパー５６がガイド管２１ｂを介して上下スライド自在に配置されており、山形ストッパー５６は圧縮コイルばね５７でインナーブッシュ４５に向けて付勢されている。ばね５７はばね受け５８で上方から支持されている。ばね受け５８にはロッド５９を設けており、ロッド５９は肘支柱２１に固定されている。そして、インナーブッシュ４５に、肘支柱２１が前傾姿勢のときに山形ストッパー５６がきっちり嵌まるフロント凹所６０と、肘支柱２１が後傾し切ると山形ストッパー５６がきっちり嵌まるリア凹所６１とを連続した状態に形成している。
【００５５】
この実施形態では、肘支柱２１を後傾させると、後傾し切った状態よりやや手前までの範囲では、山形ストッパー５６がフロント凹所６０の後部傾斜面６０ａに載っていることにより、肘支柱２１はばね５７によって前傾姿勢に戻されており、そして、肘支柱２１が後傾し切るよりもやや手前まで回動すると、山形ストッパー５６はフロント凹所６０からリア凹所６１に移行し、肘支柱２１は後傾し切った状態に保持される。本実施形態は復帰手段とロック手段とが一体化しており、かつ、全体は肘支柱２１及びインナーブッシュ４５の内部に形成されているため嵩張ることはない。
【００５６】
（Ｃ）に示すのは変形例であり、この例では、アウターブッシュ４６にインナー支柱２１ｃを固着し、インナー支柱２１ｃに支柱２１がビス２１ｅで固定されている。山形ストッパー５６には上向きのガイドピン５６ａが一体に設けられている一方、インナー支柱２１ａの内部にはガイド体２１ｄが固着されており、ガイド体２１ｄにガイドピン５６ａがスライド自在に嵌まっている。支柱２１とインナー支柱２１ｃとガイド体２１ｄとはビス２１ｅで一体に締結されている。
【００５７】
この変形例では、ガイドピン５６ａとガイド体２１ｄとのスライド長さを長く取ることにより、山形ストッパー５６はこじれを生じることなくスムースに上下スライドさせることができる。なお、ガイドピン５６ａを固定式にして、ガイドピン５６ａに対して山形ストッパー５６をスライド自在に嵌め込んでもよい。
【００５８】
(7).第４実施形態（図９）
図９に示す第４実施形態も復帰手段及びロック手段の別例である。（Ａ）は正断面図、（Ｂ）は（Ａ）のＢ−Ｂ視断面図である。この実施形態では支軸４４にアウターブッシュ４６が回転自在に嵌まっており、アウターブッシュ４６のうち座受け部と反対側の外側に向いた端面に、外向き凹で三角形状の第１凹所６３と第２凹所６４とが連続した状態に形成されている。肘支柱２１の後傾回転方向から見て、第１凹所６３が第２凹所６４の前に位置しており、かつ、深さは第２凹所６４が第１凹所７３よりも浅くなっている。
【００５９】
そして、支軸４４はアウターブッシュ４６の外側にはみ出ており、この支軸４４のはみ出し部４４ａに、凹所６３，６４に選択的に嵌まる突起６５を有するストッパーリング６６が軸方向にはスライド自在で相対回転不能に嵌まっている。ストッパーリング６６はばね６７でアウターブッシュ４６に向けて付勢されており、かつ、ばね６７はキャップ６８で抜け不能に保持されている。
【００６０】
本実施形態おいて、支軸４４にはアウターブッシュ４６が内側に移動するのを阻止する端板６９が固着されている。ストッパーリング６６を支軸４４にスライドさせる手段としては、ストッパーリング６６にビス７０をねじ込み固定する一方、支軸４４には、ビス７０の先端部がスライド自在に嵌まる長溝７１を形成している。長溝７１は支軸４４の端までは延びておらず、このため、ストッパーリング６６は一定の距離しかスライドしない。従って、アウターブッシュ４６はストッパーリング６６によって抜け止めされている。なお、（Ａ）ではビス７０は省略している。
【００６１】
この第４実施形態も第３実施形態と同様であり、肘支柱２１を後傾させようとするとストッパーリング６６がばね６７に抗して逃げることで、肘支柱２１は前傾姿勢に戻ろうする。また、後傾させ切ると、ストッパーリング６６の突起６５が第２凹所６４に嵌まって後傾姿勢が保持される。本実施形態も復帰手段とロック手段とが一体化していてコンパクトであると共にシンプルでありる。また、ストッパーリング６６等は支軸４４の端部に設けているため、組み立てやメンテナンスも容易である。
【００６２】
(8).その他
本願発明は上記の実施形態の他にも様々に具体化できる。例えば肘掛け装置は椅子以外のものにも取り付けることができる。例えば作業場のテーブルや床・枠材に取り付けたり、組み立てラインに設置したりすることも可能である。
【００６３】
更に、支持手段は必ずしも回動式である必然性はないのであり、前後方向に延びる支持部材に肘当てが前後スライド自在に取り付けられていても良い（この場合も、肘当てが細長い場合は、肘当ては水平旋回自在で長手方向にスライド自在であるのが好ましい。）。肘当ては例えば平面視円形とすることも可能である（この場合、任意の方向に自在に水平移動するように支持部材に取り付けるのが好ましい。）。肘当ては高さが固定的であってもよい。
【図面の簡単な説明】
【００６４】
【図１】第１実施形態に係る椅子の全体の概略側面図である。
【図２】椅子の概略平面図である。
【図３】分離側断面図である。
【図４】座を省略した状態での平面図である。
【図５】図４の V-V視断面図である。
【図６】第２実施形態を示す図である。
【図７】（Ａ）は図６のＡ−Ａ視断面図、（Ｂ）は図６のＢ−Ｂ視断面図である。
【図８】第３実施形態を示す図である。
【図９】第４実施形態を示す図である。
【符号の説明】
【００６５】
３  椅子の座
７  肘掛け装置
９  ベース
１５  下ブラケット
２１  支持手段の一環を成す肘支柱
２１ａ  水平部
２２  支持手段の一環を成す昇降体
２３  肘当て
２５  復帰手段を構成するアブソーバ
４４  支軸
５０，５３，５７  復帰手段を構成するばね
【図１】
2010051614.tif 000003
【図２】
2010051614.tif 000004
【図３】
2010051614.tif 000005
【図４】
2010051614.tif 000006
【図５】
2010051614.tif 000007
【図６】
2010051614.tif 000008
【図７】
2010051614.tif 000009
【図８】
2010051614.tif 000010
【図９】
2010051614.tif 000011